(57)【要約】【課題】ＪＩＳ  ０２０１型の包装箱のほぼ上半分の廃棄作業を簡単に行なえるようにした段ボール板製包装箱を提供する。【解決手段】外周を形成する２組の対向側板１，１、２，２ならびに止め代７の上下方向適所に全周に亘ってカット線８が形成され、また２組の対向側板１，１、２，２の上端と上蓋形成用フラップ５，５、６，６との連設線に沿って長辺側の対向側板１，１の中央部を残してカット線９が形成され、また、前記長辺側の対向側板１，１の中央部において前記カット線８，９間を結ぶように２本の平行なカット線１０が上下方向に形成されており、この２本の平行なカット線１０の下端間には長辺側の対向側板１，１の上下方向適所に形成された前記カット線８に接するように切り込み部１１が形成されている。【選択図】    図１
2007076683.tif 000002
【特許請求の範囲】
【請求項１】
２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に全周に亘ってカット線が形成され、また２組の対向側板の上端と上蓋形成用フラップとの連設線に沿って長辺側の対向側板の中央部を残してカット線が形成され、また、前記長辺側の対向側板の中央部において前記カット線間を結ぶように２本の平行なカット線が上下方向に形成されており、この２本の平行なカット線の下端間には長辺側の対向側板の上下方向適所に形成された前記カット線に接するように切り込み部が形成されていることを特徴とする段ボール板製包装箱。
【請求項２】
２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に全周に亘ってカット用テープが貼着されており、また２組の対向側板の上端と上蓋形成用フラップとの連設線に沿って長辺側の対向側板の中央部を残してカット線が形成され、また、前記長辺側の対向側板の中央部において前記カット用テープとカット線との間を結ぶように２本の平行なカット線が上下方向に形成されており、この２本の平行なカット線の下端間には長辺側の対向側板に形成された前記カット用テープに接するように切り込み部が形成されていることを特徴とする段ボール板製包装箱。
【請求項３】
２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に全周に亘ってカット線が形成され、また２組の対向側板の上端と上蓋形成用フラップとの連設線に沿って全周に亘ってカット線が形成され、長辺側の対向側板には前記上蓋形成用フラップとの連設線に沿って形成された前記カット線に下向きに繋がる切り込み部が形成され、長辺側の一方の側板の切り込み部の下端と短辺側の一方の側板に形成された前記カット線との間および長辺側の他方の側板の切り込み部の下端と止め代および短辺側の他方の側板に形成された前記カット線との間をそれぞれ斜めのカット線で繋いでいることを特徴とする段ボール板製包装箱。
【請求項４】
２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に全周に亘ってカット用テープが貼着され、また２組の対向側板の上端と上蓋形成用フラップとの連設線に沿って全周に亘ってカット線が形成され、長辺側の対向側板には前記上蓋形成用フラップとの連設線に沿って形成された前記カット線に下向きに繋がる切り込み部が形成され、長辺側の一方の側板の切り込み部の下端と短辺側の一方の側板に形成された前記カット用テープとの間および長辺側の他方の側板の切り込み部の下端と止め代および短辺側の他方の側板に形成された前記カット用テープとの間をそれぞれ斜めのカット線で繋いでいることを特徴とする段ボール板製包装箱。
【請求項５】
２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に長辺側の対向側板の中央部を残してカット線が形成され、また２組の対向側板の上端と上蓋形成用フラップとの連設線に沿って長辺側の対向側板と上蓋形成用フラップとの連設線の中央部および短辺側の対向側板と上蓋形成用フラップとの連設線の中央部を残してカット線が形成されており、また、前記長辺側の対向側板の中央部において上下のカット線間を結ぶように２本の平行なカット線が上下方向に形成されており、この２本の平行なカット線の下端間には長辺側の対向側板の上下方向適所に形成された前記カット線に接するように切り込み部が形成されていることを特徴とする段ボール板製包装箱。
【請求項６】
２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に長辺側の対向側板の中央部を残してカット用テープが貼着され、また２組の対向側板の上端と上蓋形成用フラップとの連設線に沿って長辺側の対向側板と上蓋形成用フラップとの連設線の中央部および短辺側の対向側板と上蓋形成用フラップとの連設線の中央部を残してカット線が形成されており、また、前記長辺側の対向側板の中央部においてカット用テープとカット線との間を結ぶように２本の平行なカット線が上下方向に形成されており、この２本の平行なカット線の下端間には長辺側の対向側板の上下方向適所に貼着された前記カット用テープに接するように切り込み部が形成されていることを特徴とする段ボール板製包装箱。
【発明の詳細な説明】
【技術分野】
【０００１】
本発明は段ボール板製包装箱に関するものである。
【背景技術】
【０００２】
従来、店頭などで販売に供せられる商品（以下、被収納物と称す）をＪＩＳ  ０２０１型（Ａ式）の段ボール板製の包装箱に収納した状態でディスプレーするために、包装箱のほぼ上半分を切除すべく包装箱の外周を形成する２組の対向側板にカット線を形成したものが知られている。
【０００３】
その一例として特許文献１に開示されている包装箱のように、外周を形成する２組の対向側板の上下方向適所に全周に亘ってカット線が形成され、このカット線に沿って全周を破断することによって包装箱を上下に分断させるようにしたものが知られている。
【特許文献１】特開平７−３２９９５５号公報
【発明の開示】
【発明が解決しようとする課題】
【０００４】
上記特許文献１に記載の包装箱は、内部に例えば瓶ビールなどの被収納物が収納され、店頭において前記カット線に沿って全周を破断することによって包装箱のほぼ下半分に被収納物が収納された状態でディスプレーされるものであるが、ほぼ下半分から切り離された包装箱のほぼ上半分を廃棄する場合が殆んどであり、その際ほぼ上半分の天板を除く周囲を形成する壁面同士の繋がり部を切り離して全体をフラットな展開状態にし、それを小さく折り畳むなどして廃棄していた。
【０００５】
つまり、ほぼ下半分から切り離された包装箱のほぼ上半分を廃棄する際、ほぼ上半分の天板を除く周囲を形成する壁面同士の繋がり部を切り離すという作業が必要であり、廃棄作業が煩わしいという問題があった。
【０００６】
本発明の目的は、このような課題を解決するものであり、ＪＩＳ  ０２０１型の包装箱のほぼ上半分の廃棄作業を簡単に行なえるようにした段ボール板製包装箱を提供することにある。
【課題を解決するための手段】
【０００７】
本発明の請求項１に記載の段ボール板製包装箱は、２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に全周に亘ってカット線が形成され、また２組の対向側板の上端と上蓋形成用フラップとの連設線に沿って長辺側の対向側板の中央部を残してカット線が形成され、また、前記長辺側の対向側板の中央部において前記カット線間を結ぶように２本の平行なカット線が上下方向に形成されており、この２本の平行なカット線の下端間には長辺側の対向側板の上下方向適所に形成された前記カット線に接するように切り込み部が形成されていることを特徴とする。
【０００８】
請求項２に記載の段ボール板製包装箱は、２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に全周に亘ってカット用テープが貼着されており、また２組の対向側板の上端と上蓋形成用フラップとの連設線に沿って長辺側の対向側板の中央部を残してカット線が形成され、また、前記長辺側の対向側板の中央部において前記カット用テープとカット線との間を結ぶように２本の平行なカット線が上下方向に形成されており、この２本の平行なカット線の下端間には長辺側の対向側板に形成された前記カット用テープに接するように切り込み部が形成されていることを特徴とする。
【０００９】
請求項３に記載の段ボール板製包装箱は、２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に全周に亘ってカット線が形成され、また２組の対向側板の上端と上蓋形成用フラップとの連設線に沿って全周に亘ってカット線が形成され、長辺側の対向側板には前記上蓋形成用フラップとの連設線に沿って形成された前記カット線に下向きに繋がる切り込み部が形成され、長辺側の一方の側板の切り込み部の下端と短辺側の一方の側板に形成された前記カット線との間および長辺側の他方の側板の切り込み部の下端と止め代および短辺側の他方の側板に形成された前記カット線との間をそれぞれ斜めのカット線で繋いでいることを特徴とする。
【００１０】
請求項４に記載の段ボール板製包装箱は、２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に全周に亘ってカット用テープが貼着され、また２組の対向側板の上端と上蓋形成用フラップとの連設線に沿って全周に亘ってカット線が形成され、長辺側の対向側板には前記上蓋形成用フラップとの連設線に沿って形成された前記カット線に下向きに繋がる切り込み部が形成され、長辺側の一方の側板の切り込み部の下端と短辺側の一方の側板に形成された前記カット用テープとの間および長辺側の他方の側板の切り込み部の下端と止め代および短辺側の他方の側板に形成された前記カット用テープとの間をそれぞれ斜めのカット線で繋いでいることを特徴とする。
【００１１】
請求項５に記載の段ボール板製包装箱は、２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に長辺側の対向側板の中央部を残してカット線が形成され、また２組の対向側板の上端と上蓋形成用フラップとの連設線に沿って長辺側の対向側板と上蓋形成用フラップとの連設線の中央部および短辺側の対向側板と上蓋形成用フラップとの連設線の中央部を残してカット線が形成されており、また、前記長辺側の対向側板の中央部において上下のカット線間を結ぶように２本の平行なカット線が上下方向に形成されており、この２本の平行なカット線の下端間には長辺側の対向側板の上下方向適所に形成された前記カット線に接するように切り込み部が形成されていることを特徴とする。
【００１２】
請求項６に記載の段ボール板製包装箱は、２組の対向側板と、この２組の対向側板の下端に連設された底板形成用フラップと、同じくこの２組の対向側板の上端に連設された上蓋形成用フラップと、長辺側の一方の側板の端部に連設され短辺側の一方の側板の端部に接着剤により接合される止め代とから構成され、短辺側の対向側板の下端に連設された底板形成用フラップを閉じ、その下側に重なるように長辺側の対向側板の下端に連設された底板形成用フラップを閉じて底板形成用フラップと底板形成用フラップとを接合させ、また短辺側の対向側板の上端に連設された上蓋形成用フラップを閉じ、その上側に重なるように長辺側の対向側板の上端に連設された上蓋形成用フラップを閉じて上蓋形成用フラップと上蓋形成用フラップとを接合させるようにした段ボール板製包装箱であって、外周を形成する２組の対向側板ならびに止め代の上下方向適所に長辺側の対向側板の中央部を残してカット用テープが貼着され、また２組の対向側板の上端と上蓋形成用フラップとの連設線に沿って長辺側の対向側板と上蓋形成用フラップとの連設線の中央部および短辺側の対向側板と上蓋形成用フラップとの連設線の中央部を残してカット線が形成されており、また、前記長辺側の対向側板の中央部においてカット用テープとカット線との間を結ぶように２本の平行なカット線が上下方向に形成されており、この２本の平行なカット線の下端間には長辺側の対向側板の上下方向適所に貼着された前記カット用テープに接するように切り込み部が形成されていることを特徴とする。
【発明の効果】
【００１３】
以上のように、本発明の段ボール板製包装箱は、ＪＩＳ  ０２０１型の包装箱をカット線（カット用テープも含む）に沿って上下に分断することによりほぼ上半分が全てフラットな状態でほぼ下半分から切り離され、その後の廃棄作業を簡単に行なうことができるようになる。
【発明を実施するための最良の形態】
【００１４】
以下、本発明の実施の形態を、図面に基づき具体的に説明する。
先ず、図１〜図７に示す第１の実施の形態について説明すると、本実施の形態の段ボール板製包装箱はＪＩＳ  ０２０１型の包装箱であって、２組の対向側板１，１、２，２と、この２組の対向側板１，１、２，２の下端に連設された底板形成用フラップ３，３、４，４と、同じくこの２組の対向側板１，１、２，２の上端に連設された上蓋形成用フラップ５，５、６，６と、長辺側の一方の側板１の端部に連設され短辺側の一方の側板２の端部に接着剤により接合される止め代７とから構成され、短辺側の対向側板２，２の下端に連設された底板形成用フラップ４，４を閉じ、その下側に重なるように長辺側の対向側板１，１の下端に連設された底板形成用フラップ３，３を閉じて底板形成用フラップ４，４と底板形成用フラップ３，３とを接着剤により接合させ、底を閉じるように構成されている。包装箱の中に被収納物を収納した後で、短辺側の対向側板２，２の上端に連設された上蓋形成用フラップ６，６を閉じ、その上側に重なるように長辺側の対向側板１，１の上端に連設された上蓋形成用フラップ５，５を閉じて上蓋形成用フラップ６，６と上蓋形成用フラップ５，５とを接着剤により接合させ、上端を閉じるように構成されている。
【００１５】
以上は一般的なＪＩＳ  ０２０１型の包装箱の形であるが、本実施の形態の段ボール板製包装箱では外周を形成する２組の対向側板１，１、２，２の上下方向適所に全周に亘ってジッパー状のカット線８が形成されるとともに止め代７にもこのカット線８に繋がるカット線８ａが形成されており、また２組の対向側板１，１、２，２の上端と上蓋形成用フラップ５，５、６，６との連設線に沿って長辺側の対向側板１，１の中央部を残してジッパー状のカット線９が形成されている。また、前記長辺側の対向側板１，１の中央部においてジッパー状のカット線８とジッパー状のカット線９を結ぶように２本の平行なジッパー状のカット線１０が上下方向に形成されており、この２本の平行なジッパー状のカット線１０の下端間にはジッパー状のカット線８に接するようにＨ型の切り込み部１１が形成されている。ところで、２本の平行なジッパー状のカット線１０の上端はジッパー状のカット線９に接するものであるが、２本の平行なジッパー状のカット線１０の上端間は前記ジッパー状のカット線９の形成されていない部分が存在するように形成されている。さらに、長辺側の対向側板１，１の上端に連設された上蓋形成用フラップ５，５には２本の平行なジッパー状のカット線１０の上端に連続するように切目１２が形成され、この切目１２の端部間には折目１３が形成されている。
【００１６】
なお図中、１４は前記短辺側の対向側板２，２の上端近傍に形成されている取っ手部である。
上記構成において、被収納物収納状態の包装箱のほぼ上半分を切除する場合、包装箱の長辺側の対向側板１，１において前記Ｈ型の切り込み部１１より指を掛けてカット線１０間を前記上蓋形成用フラップ５，５の折目１３の部分まで上方へ切り開いて開口させる。かかる状態で、長辺側の何れか一方の側板１の開口部よりジッパー状のカット線８，９間の板部をジッパー状のカット線８，９に沿って長辺側の他方の側板１の開口部まで手で引き破り、続いて長辺側の他方の側板１の開口部よりジッパー状のカット線８，９間の板部をジッパー状のカット線８，９に沿って長辺側の何れか一方の側板１の開口部まで手で引き破る。
【００１７】
これにより包装箱は上下に分断され、被収納物（図示せず）が包装箱のほぼ下半分に収納された状態でディスプレーすることができる。
包装箱のほぼ下半分から切り離されたほぼ上半分は、上蓋形成用フラップ５，５と上蓋形成用フラップ６，６とが接合されてなる上蓋に前記カット線１０間の板部が繋がった状態のものと、前記長辺側の対向側板１，１に形成される２つの開口部間において前記カット線８，９間の切り取られた２枚の板部とに小さく分割され、後の廃棄処理が容易に行なえる。
【００１８】
次に、図８〜図１３に示す第２の実施の形態について説明すると、前記第１の実施の形態では長辺側の対向側板１，１の中央部においてジッパー状のカット線８とジッパー状のカット線９を結ぶように２本の平行なジッパー状のカット線１０が上下方向に形成されているが、第２の実施の形態では長辺側の一方の側板１の中央部より短辺側の一方の側板２側に寄った位置で、また長辺側の他方の側板１の中央部より短辺側の他方の側板２側に寄った位置でそれぞれ長辺側の対向側板１，１にはジッパー状のカット線９に下向きに繋がる切り込み部１５が形成され、長辺側の一方の側板１の切り込み部１５の下端と短辺側の一方の側板２に形成されたジッパー状のカット線８との間および長辺側の他方の側板１の切り込み部１５の下端と短辺側の他方の側板２（止め代７も含む）に形成されたジッパー状のカット線８との間をそれぞれ斜めのジッパー状のカット線１６で繋いでいる。１６ａは止め代７に形成されたカット線である。他の構成は前記第１の実施の形態と同様である。
【００１９】
上記構成において、被収納物収納状態の包装箱のほぼ上半分を切除する場合、先ず包装箱の長辺側の何れか一方の側板１の切り込み部１５に指を掛けてジッパー状のカット線９とジッパー状のカット線１６との間を引き破るとともに続いてジッパー状のカット線８，９間を引き破り、さらにはジッパー状のカット線１６とジッパー状のカット線８との間を引き破る。その後、残りの切り込み部１５に指を掛けてジッパー状のカット線９，８，１６に沿って引き破る。
【００２０】
これにより包装箱は上下に分断され、被収納物（図示せず）が包装箱のほぼ下半分に収納された状態でディスプレーすることができる。
包装箱のほぼ下半分から切り離されたほぼ上半分は、上蓋形成用フラップ５，５と上蓋形成用フラップ６，６とが接合されてなる上蓋と、側板１，１、２，２が分断された２枚の板部とに分割され、後の廃棄処理が容易に行なえる。
【００２１】
次に、図１４〜図２０に示す第３の実施の形態について説明すると、この第３の実施の形態は前記第１の実施の形態の変形例で、この実施の形態では外周を形成する２組の対向側板１，１、２，２ならびに止め代７の上下方向適所に長辺側の対向側板１，１の中央部を残してジッパー状のカット線８が形成され、また２組の対向側板１，１、２，２の上端と上蓋形成用フラップ５，５、６，６との連設線に沿って長辺側の対向側板１，１と上蓋形成用フラップ５，５との連設線の中央部および短辺側の対向側板２，２と上蓋形成用フラップ６，６との連設線の中央部を残してジッパー状のカット線９が形成されている。つまり、この２本のジッパー状のカット線８，９の途中には長辺側の対向側板１，１の中央部においてジッパー状のカット線８，９の繋がっていない部分が存在し、またジッパー状のカット線９の途中には短辺側の対向側板２，２と上蓋形成用フラップ６，６との連設線の中央部においてもジッパー状のカット線９の繋がっていない部分が存在している。そして、前記長辺側の対向側板１，１の中央部におけるジッパー状のカット線８の繋がっていない部分の間にはＨ型の切り込み部１７が形成され、ジッパー状のカット線８とジッパー状のカット線９を結ぶように２本の平行なジッパー状のカット線１０が上下方向に形成されており、この２本の平行なジッパー状のカット線１０の下端は切り込み部１７を介してジッパー状のカット線８に繋がり、２本の平行なジッパー状のカット線１０の上端はジッパー状のカット線９に接するものであるが、２本の平行なジッパー状のカット線１０の上端間は前記ジッパー状のカット線９の形成されていない部分が存在するように形成されている。
【００２２】
上記構成において、被収納物収納状態の包装箱のほぼ上半分を切除する場合、包装箱の長辺側の対向側板１，１において前記Ｈ型の切り込み部１７より指を掛けてカット線１０間を前記ジッパー状のカット線９の部分まで上方へ切り開いて開口させる。
かかる状態で、長辺側の何れか一方の側板１の開口部よりそれぞれ逆方向に向かってジッパー状のカット線８，９間の板部をジッパー状のカット線８，９に沿って短辺側の対向側板２，２側に手で引き破る。短辺側の対向側板２，２においてはジッパー状のカット線８が全長に亘って形成されているので上蓋形成用フラップ６，６との連設線の中央部のジッパー状のカット線９の繋がっていない部分の下側も手で引き破ることができ、これにより包装箱のほぼ上半分が切除されて、被収納物（図示せず）が包装箱のほぼ下半分に収納された状態でディスプレーすることができる。
【００２３】
包装箱のほぼ下半分から切り離されたほぼ上半分は、上蓋形成用フラップ５，５と上蓋形成用フラップ６，６とが接合されてなる上蓋に前記カット線１０間の板部が繋がり、また前記長辺側の対向側板１，１に形成される２つの開口部間において前記カット線８，９間の切り取られた２枚の板部が繋がった状態となり、これらの板部を上蓋に重なるように折り畳んで後の廃棄処理が容易に行なえる。
【００２４】
ところで、以上述べた各実施の形態において、ジッパー状のカット線８の代わりにカット用テープを長辺側の対向側板１，１、短辺側の対向側板２，２および止め代７の内面に貼着するようにしても良い。
【図面の簡単な説明】
【００２５】
【図１】本発明の第１の実施の形態における段ボール板製包装箱の展開図である。
【図２】同包装箱の組み立て完成状態を示す斜視図である。
【図３】同包装箱を上下に切り離す第１の状態を示す斜視図である。
【図４】同包装箱を上下に切り離す第２の状態を示す斜視図である。
【図５】同包装箱を上下に切り離す第３の状態を示す斜視図である。
【図６】同包装箱の切り離し状態を示す斜視図である。
【図７】同包装箱のほぼ上半分が切り離されたほぼ下半分の斜視図である。
【図８】本発明の第２の実施の形態における段ボール板製包装箱の展開図である。
【図９】同包装箱の組み立て完成状態を示す斜視図である。
【図１０】同包装箱を上下に切り離す第１の状態を示す斜視図である。
【図１１】同包装箱を上下に切り離す第２の状態を示す斜視図である。
【図１２】同包装箱を上下に切り離す第３の状態を示す斜視図である。
【図１３】同包装箱の切り離し状態を示す斜視図である。
【図１４】本発明の第３の実施の形態における段ボール板製包装箱の展開図である。
【図１５】同包装箱の組み立て完成状態を示す斜視図である。
【図１６】同包装箱を上下に切り離す第１の状態を示す斜視図である。
【図１７】同包装箱を上下に切り離す第２の状態を示す斜視図である。
【図１８】同包装箱を上下に切り離す第３の状態を示す斜視図である。
【図１９】同包装箱の切り離し状態を示す斜視図である。
【図２０】同包装箱のほぼ下半分から切り離されたほぼ上半分を廃棄する前の折り畳み状態を示す斜視図である。
【符号の説明】
【００２６】
１，２          側板
３，４          底板形成用フラップ
５，６          上蓋形成用フラップ
７              止め代
８，９，１０    ジッパー状のカット線
８ａ            カット線
１１              切り込み部
１２              切目
１３              折目
１５              切り込み部
１６              ジッパー状のカット線
１７              切り込み部
【図１】
2007076683.tif 000003
【図２】
2007076683.tif 000004
【図３】
2007076683.tif 000005
【図４】
2007076683.tif 000006
【図５】
2007076683.tif 000007
【図６】
2007076683.tif 000008
【図７】
2007076683.tif 000009
【図８】
2007076683.tif 000010
【図９】
2007076683.tif 000011
【図１０】
2007076683.tif 000012
【図１１】
2007076683.tif 000013
【図１２】
2007076683.tif 000014
【図１３】
2007076683.tif 000015
【図１４】
2007076683.tif 000016
【図１５】
2007076683.tif 000017
【図１６】
2007076683.tif 000018
【図１７】
2007076683.tif 000019
【図１８】
2007076683.tif 000020
【図１９】
2007076683.tif 000021
【図２０】
2007076683.tif 000022